(57)【要約】【課題】更なる小型化を図るとともに、簡便な構造で容易に製作することができる磁性体アンテナを提供する。【解決手段】接地導体２０が広く形成された基板１０の一端にはフェライト基板３０が設けられており、導体によるアンテナパターン３２がスクリーン印刷により形成されている。このアンテナパターン３２と上述した接地導体２０の間には、導体４０，４２が接地線，給電線として形成されている。フェライト基板３０として六方晶フェライトを使用することで、磁性体の透磁率μによる波長短縮効果のみならず、誘電率εによる波長短縮効果も期待でき、アンテナの小型化を図ることができる。【選択図】図１
2009159244.tif 000002
【特許請求の範囲】
【請求項１】
アンテナ導体及び接地導体を備えており、信号電力が前記アンテナ導体に供給されるアンテナであって、
前記アンテナ導体を、誘電体と磁性体の性質を兼ね備えた材料によって形成した基板上にスクリーン印刷により形成したことを特徴とする磁性体アンテナ。
【請求項２】
前記誘電体と磁性体の性質を兼ね備えた材料として、六方晶フェライトを使用したことを特徴とする請求項１記載の磁性体アンテナ。
【発明の詳細な説明】
【技術分野】
【０００１】
本発明は、特に携帯電話などに好適な磁性体アンテナに関し、更に具体的には、その小型化，量産化のための改良に関する。
【背景技術】
【０００２】
近年、携帯電話などの携帯通信機器に搭載するアンテナは内蔵化が一般的であり、できる限り性能を劣化させることなくアンテナを小型化することが要求されている。例えば、下記特許文献１には、薄型筐体の携帯電話において内蔵アンテナの有効体積を確保するために、金属製の前面筐体と板金とによって逆Ｆ型アンテナを構成することでアンテナの実効体積を増大させるようにした携帯電話機の内蔵アンテナが開示されている。また、下記特許文献２には、アンテナ素子を折り曲げるようにすることで、折りたたみ式携帯電話の小型化を図るようにした折り返し線状逆Ｆ型アンテナが開示されている。
【０００３】
ところで、アンテナの小型化を図るための代表的な手法として、波長短縮，すなわち誘電体中を電波が伝搬する際に波長が短くなる性質を利用するものがある。誘電体による波長短縮効果は、一般的には、λg＝λ／（ε１／２）で表される。ここで、λgは短縮後の波長，λは短縮前の波長，εは誘電率である。一般的には、セラミックス材料などの高誘電率の誘電体材料を使用してアンテナの小型化を実現している。例えば、誘電率ε＝４程度のガラスエポキシ基板などを使った場合に比べて、誘電率ε＝１０程度のセラミックスなどを使った場合のほうが波長短縮効果が大きくなり、アンテナの小型化が可能になる。
【特許文献１】特開平１１−３５５０２２号公報
【特許文献２】特開２００６−１９７５２８公報
【発明の開示】
【発明が解決しようとする課題】
【０００４】
しかしながら、上述した誘電率を大きくする波長短縮効果によるアンテナの小型化には限界があり、更には材料による設計自由度の制限もある。加えて、上述した特許文献１ないし２のいずれも立体的な構造となっており、構造が複雑で製作に手数を要するといった不都合もある。
【０００５】
本発明は、以上の点に着目したもので、アンテナの更なる小型化を図るとともに、簡便な構造で容易に製作することができる磁性体アンテナを提供することを、その目的とするものである。
【課題を解決するための手段】
【０００６】
前記目的を達成するため、本発明は、アンテナ導体及び接地導体を備えており、信号電力が前記アンテナ導体に供給されるアンテナであって、前記アンテナ導体を、誘電体と磁性体の性質を兼ね備えた材料によってスクリーン印刷により形成した基板上に形成したことを特徴とする。主要な形態の一つは、前記誘電体と磁性体の性質を兼ね備えた材料として、六方晶フェライトを使用したことを特徴とする。本発明の前記及び他の目的，特徴，利点は、以下の詳細な説明及び添付図面から明瞭になろう。
【発明の効果】
【０００７】
本発明によれば、誘電体と磁性体の性質を兼ね備えた材料を使用することで、誘電率と透磁率の両方による波長短縮効果を得ることができ、磁性体アンテナの小型化を図ることができる。また、構造も簡略されるためにスクリーン印刷の方法を適用することができ、生産性も向上する。
【発明を実施するための最良の形態】
【０００８】
以下、本発明を実施するための最良の形態を、実施例に基づいて詳細に説明する。
【実施例１】
【０００９】
図１には、本発明の実施例の全体構成が示されている。同図において、適宜の絶縁性の基板１０の主面上には、接地（アースないしＧＮＤ）導体２０が広く形成されている。また、基板１０の一端には、フェライト基板３０が設けられており、導体によるアンテナパターン３２が形成されている。このアンテナパターン３２と上述した接地導体２０の間には、導体４０，４２が形成されている。
【００１０】
以上の各部のうち、基板１０は、例えばガラスエポキシ基板によって形成されている。携帯電話におけるケースなどを利用してもよい。フェライト基板３０としては、六方晶フェライトが好適である。六方晶フェライトは、ＡＦｅ１２Ｏ１９（ただし、ＡはＢａ，Ｓｒ，Ｐｂなど）の組成をもち、磁性体としての性質のみならず、誘電体としての性質も備えている。このため、磁性体の透磁率μによる波長短縮効果のみならず、誘電率εによる波長短縮効果も期待できる。更に、上述した導体４０，４２のうち、導体４０は接地線で、接地導体２０に接続している。導体４２は給電線で、信号電力源６０に接続している。
【００１１】
上述したフェライト基板３０上のアンテナパターン３２は、スクリーン印刷の手法によって渦巻き状に形成されている。図２には、その形成手順の一例が示されており、同図(A)のフェライト基板３０上に、予め導体パターン５０が形成されたスクリーン５２を利用してＡｇやＰｄなどの導体ペーストパターン５４を印刷形成する（同図(B)参照）。そして、適宜の温度で乾燥することで（同図(C)参照）、フェライト基板３０上にアンテナパターン３２が形成される（同図(D)参照）。
【００１２】
本実施例は、いわゆる逆Ｆ型のアンテナ形状となっており、基本的なアンテナとしての動作も、一般的な逆Ｆアンテナとしての動作と同様である。上述したように、本実施例では、誘電率ε及び透磁率μを利用して波長短縮を行なっている。その様子を、ＶＳＷＲ（Voltage Standing Wave Ratio，電圧定在波比）特性によって説明する。図３〜図４には、透磁率及び誘電率を変化させたときの有限要素法によるＶＳＷＲ特性の計算例が示されている。
【００１３】
図３(A)は誘電率「１」，透磁率「１」の場合である。透磁率「１」であって誘電率を「４」としたときを図３(B)に示し、更に誘電率を「１０」としたときを図４(A)に示している。これらのグラフに示すように、ＶＳＷＲ最小値は、誘電率と透磁率の値によって変化しているが、構造を変更することで最適化が可能である。一方、ＶＳＷＲが最小となる共振周波数[ＧＨz]は、誘電率が大きくなるほど低くなり、１．４９（誘電率１）→１．３４（誘電率４）→１．２０（誘電率１０）と変化する。
【００１４】
更に、誘電率「１０」に加えて、透磁率を「１」から「２．５」と増加すると、図４(B)に示すように、ＶＳＷＲの最小値はほとんど変化しないものの、共振周波数[ＧＨz]が１．２０から１．０９まで低くなる。図５には、図４(B)に対応する実測値が示されており、計算値とよく対応していることが分かる。
【００１５】
以上の点を表としてまとめると、以下のようになる。
【表１】
2009159244.tif 000003
【００１６】
このように、本実施例によれば、誘電体と磁性体の性質を兼ね備えた六方晶フェライトを使用することで、誘電率と透磁率の両方の特性を利用した波長短縮効果を得ることができ、アンテナの小型化を図ることができる。また、スクリーン印刷の手法でアンテナを製作することができ、構造も簡便で量産性に優れている。
【００１７】
なお、本発明は、上述した実施例に限定されるものではなく、本発明の要旨を逸脱しない範囲内において種々変更を加え得ることができる。例えば、以下のものも含まれる。
(1)前記実施例は、本発明を逆Ｆ型アンテナに適用した例であるが、他の型のアンテナ，例えば、モノポールアンテナ，ダイポールアンテナ，ヘリカルアンテナ，ミアンダラインアンテナ，パッチアンテナ，コニカルアンテナなどにも応用が可能である。
(2)また、適用対象となる機器としては携帯電話やＰＨＳが好適な例であるが、各種の無線通信機器の内蔵アンテナに適用してよい。
【産業上の利用可能性】
【００１８】
本発明によれば、磁性体アンテナの小型化を図ることができ、生産性も向上するので、例えば携帯電話などの内蔵アンテナとして好適である。
【図面の簡単な説明】
【００１９】
【図１】本発明の一実施例のアンテナの全体構成を示す斜視図である。
【図２】前記実施例におけるアンテナパターンの形成方法の一例を示す説明図である。
【図３】前記実施例におけるＶＳＷＲの計算例を示すグラフである。(A)は誘電率が１，透磁率が１の場合のグラフ、(B)は誘電率が４，透磁率が１の場合のグラフである。
【図４】前記実施例におけるＶＳＷＲの計算例を示すグラフである。(A)は誘電率が１０，透磁率が１の場合のグラフ、(B)は誘電率が１０，透磁率が２．５の場合のグラフである。
【図５】前記実施例の誘電率が１０，透磁率が２．５の場合のＶＳＷＲの実測例を示すグラフである。
【符号の説明】
【００２０】
１０：基板
２０：接地導体
３０：フェライト基板
３２：アンテナパターン
４０，４２：導体
５０：導体パターン
５２：スクリーン
５４：導体ペーストパターン
６０：信号電力源
【図１】
2009159244.tif 000004
【図２】
2009159244.tif 000005
【図３】
2009159244.tif 000006
【図４】
2009159244.tif 000007
【図５】
2009159244.tif 000008